(57)【要約】      （修正有） 【課題】外観は、本に見え、内面は、建物の外観や内観を呈し、更に多用途目的のための貯金箱として使用できる紙製の蓋付き包装容器を提供する。【解決手段】紙製の蓋付き包装容器において、外装は、本の表紙をデザインし、蓋を開くと、内装は、前記包装容器の本体内面と蓋の裏面とで建物の外観や内観をデザインし、前記包装容器の本体内面と蓋の裏面に、切れ目と支辺とで囲まれた折り曲げ片を設ける。そして、折り曲げ片２片を利用し、収納した紙幣を押さえることができる構造にする。建物の外観や内観は、神社境内、銀行内等にする。【選択図】図３
0003164177.tif 000002
【実用新案登録請求の範囲】
【請求項１】
紙製の蓋付き包装容器において、
前記包装容器の外装は、本の表紙をデザインし、
前記包装容器の内装は、蓋を開くと、前記包装容器の本体内面と蓋の裏面とを利用して建造物の内観または外観をデザインし、
且つ、前記包装容器の、本体内面と蓋の裏面、または本体内面と蓋の裏面の内いずれかの面に、切れ目と支辺とで囲まれ、支辺に沿って折り曲げて立てられる構造をした折り曲げ片を形成していることを特徴とする紙製の蓋付き包装容器。
【請求項２】
前記折り曲げ片は、容器内に紙幣、有価証券、宝くじ等が飛び出さず収容できるように、少なくとも２ヶ所設けられていることを特徴とする請求項１に記載の紙製の蓋付き包装容器。
【請求項３】
前記内装のデザインが神社の境内の外観であり、前記境内に施された鈴、しめ縄、賽銭箱、ご神体、神主、巫女、参拝客、柵、灯篭、石碑、石畳、柱、階段、キャラクターの内いずれか１種の図形面が、折り曲げ片の構造になっていることを特徴とする請求項１または請求項２に記載の紙製の蓋付き包装容器。
【請求項４】
前記内装のデザインが銀行の内観であり、前記銀行内に施された銀行の標章、行員、カウンター、客、キャラクター、災害時の心得を箇条書きにした枠、災害ダイヤルを表示した枠、防災グッズを文字で列記した枠、防災グッズをイラスト又は写真で表示した枠の内いずれか１種の図形面が、折り曲げ片の構造になっていることを特徴とする請求項１または請求項２に記載の紙製の蓋付き包装容器。
【考案の詳細な説明】
【技術分野】
【０００１】
本考案は、紙製の蓋付き包装容器に関する。
【背景技術】
【０００２】
従来のお土産用、お菓子やギフト等の包装用として用いられる紙製の蓋付き包装容器は、商品である中身を取り出した後は、捨てられることが多く、使用されるとしても、アクセサリーや雑貨等の小物入れとして使用される程度であった。
【特許文献１】実願２００８−２４５７号公報
【特許文献２】特開平８−１４３０２８号公報
【考案の開示】
【考案が解決しようとする課題】
【０００３】
そのため、入れ物としての用途以外に利用価値は低いため、中身以外に付加価値を付け
る事で購買意欲を上げ、すぐに捨てられることなく２次的利用されることでエコロジーに繋がるような工夫が収納箱に望まれていた。
【０００４】
そして、特に包装容器の外装と内装を変えることで、用途性の高いこれまでに無い商品を提供できる可能性があることに着目した。
【０００５】
本考案は、上記の問題点に斯かる実情に鑑みなされたもので、見た目は、本に見え、蓋を開くと、建物の内観や外観が現れ紙幣等を収容するための工夫と、更に多用途目的のための貯金箱として使用できる紙製の蓋付き包装容器を提供することを課題とする。
【課題を解決するための手段】
【０００６】
請求項１に記載の考案は、紙製の蓋付き包装容器において、前記包装容器の外装は、本の表紙をデザインし、前記包装容器の内装は、蓋を開くと、前記包装容器の本体内面と蓋の裏面とを利用して建造物の内観または外観をデザインし、且つ、前記包装容器の、本体内面と蓋の裏面、または本体内面と蓋の裏面の内いずれかの面に、切れ目と支辺とで囲まれ、支辺に沿って折り曲げて立てられる構造をした折り曲げ片を形成していることを特徴とする。
【０００７】
請求項２に記載の考案は、折り曲げ片は、容器内に紙幣、有価証券、宝くじ等が飛び出さず収容できるように、少なくとも２ヶ所設けられていることを特徴とする。
【０００８】
請求項３に記載の考案は、内装のデザインが神社の境内の外観であり、前記境内に施された鈴、しめ縄、賽銭箱、ご神体、神主、巫女、参拝客、柵、灯篭、石碑、石畳、柱、階段、キャラクターの内いずれか１種の図形面が、折り曲げ片の構造になっていることを特徴とする。
【０００９】
請求項４に記載の考案は、内装のデザインが銀行の内観であり、前記銀行内に施された銀行の標章、行員、カウンター、客、キャラクター、災害時の心得を箇条書きにした枠、災害ダイヤルを表示した枠、防災グッズを文字で列記した枠、防災グッズをイラスト又は写真で表示した枠の内いずれか１種の図形面が、折り曲げ片の構造になっていることを特徴とする。
【考案の効果】
【００１０】
請求項１に記載の考案によれば、中身を取り出した後、蓋を開き、折り曲げ辺を立たせると、建物を模した置物になり、貯金箱としても利用でき、見た目はほとんど本と変わらないため、本棚に入れても気付かれず、違和感無く利用できる。
【００１１】
請求項２に記載の考案によれば、紙幣を収納することが可能で、収納した紙幣が飛び出ない。
【００１２】
請求項３に記載の考案によれば、外装からは想像できないデザインが内装に施されることで、驚きと、面白みを生み出し、境内をよりリアルに再現できる。
【００１３】
請求項４に記載の考案によれば、外装からは想像できないデザインが内装に施されることで、驚きと、面白みを生み出し、銀行をよりリアルに再現できる。
【考案を実施するための最良の形態】
【００１４】
紙製の蓋付き包装容器において、外装は、本の表紙をデザインし、内装は、蓋を開くと、前記包装容器の本体内面と蓋の裏面とを利用して建造物の内観または外観をデザインし、
且つ、前記包装容器の本体内面と蓋の裏面に、切れ目と支辺とで囲まれ、支辺に沿って折り曲げて立てられる構造をした折り曲げ片を形成する。
そして、包装容器の本体内面は、紙幣等が飛び出さず収容できるように、少なくとも２ヶ所の折り曲げ片で紙幣等を押さえることができる構造にする。
【００１５】
また、内装のデザインが神社の境内であれば、鈴、しめ縄、賽銭箱、ご神体、神主、巫女、参拝客、柵、灯篭、石碑、石畳、柱、階段、キャラクターの内いずれか１種の周囲を、折り曲げ片の構造にし、内装のデザインが銀行内であれば、銀行の標章、行員、カウンター、客、キャラクター、災害時の心得を箇条書きにした枠、災害ダイヤルを表示した枠、防災グッズを文字で列記した枠、防災グッズをイラスト又は写真で表示した枠の内いずれか１種の周囲を、折り曲げ片の構造にする。
【実施例１】
【００１６】
以下、図面を参照して本考案に係る紙製の蓋付き包装容器の一実施例を説明する。
図１と図２は、本考案の外装図の一例である。図３と図４は、本考案の内装図の一例である。図５は、本考案の折り曲げ片を有する面の構造図である。図６は、本考案の裏面に施される箇条書きの一例図である。図７と図８は、外装の展開図の一例である。図９は、本考案の本棚に他の本と一緒に収納する様子を示した図である。
【００１７】
なお、本考案で実施する、紙製の蓋付き包装容器には、「折曲げ式」の容器を使用する。
「折曲げ式」の容器とは、フラップを折り曲げることにより包装容器本体の開口部を覆う蓋部が形成される箱のことであり、図１や図２のように、フラップ１枚で構成されたものである。
【００１８】
また、後述の折り曲げ片４を施す面は、１層でも構わないが、１層であれば折り曲げ片を折り曲げて起こすと、抜き穴を通して背景が見えるため、２層のいわゆる、ダブルウォール構造になっており、そのために、図５のように紙を２つ折りにし、内側に来る面上に切れ目と支辺とで囲み、支辺に沿って折り曲げて立てられる構造にすることが望ましい。
【００１９】
まず、外装５は、本の表紙に見えるように、表表紙と裏表紙と背表紙には、架空の題号や、イラスト等を施す。例えば、図２又は図８のように、表表紙６、背表紙８には、商品名である「○○蓄財法」を、裏表紙７には、「○○まんじゅう」と中身である饅頭の写真を印刷する。
【００２０】
また、外装は、必ずしも１冊の本の外装である必要は無く、複数冊で構成されていても良い。例えば、図７のように、背表紙８を同じシリーズの本を３冊の本を並べたように見せても構わない。
【００２１】
更に、帯を巻いたようにデザインを加えても、説明分を加えても、出版社名等を加えても構わない。
【００２２】
なお、表表紙、裏表紙、背表紙以外の面には、本のページ部に当たる、天、小口、地の図案を施すとなお良い。ちなみに、図７や図８は、上説をふまえた、紙製の蓋付き包装容器の、外装の展開図の一例である。また、図９は、本棚に仕舞う様子を示したものである。
【００２３】
次に、蓋３を開き、蓋の裏面と紙製の包装容器の本体内面とを利用した内装９のデザインを、神社の境内にすると、図３のようになり、例えば、しめ縄、切り下げ、札、賽銭箱、石碑、柱、幕、石畳、柵等を画像や線図で施した図柄を構する。
【００２４】
このとき、切れ目１３と支辺１４とで囲まれた面内に上記図柄を施し折り曲げ片４を施せば、支片に沿って曲げ起こすと立体的になり、更に、包装容器の本体内面の、しめ縄と札で１つの折り曲げ片１０を形成し、賽銭箱で１つの折り曲げ片１１を形成しておけば、この２片を折り曲げ、これらの間に札等を挟んでおけば、誤って、飛び出しを防ぐことが出来る。
【００２５】
なお、折り曲げ片を構成する支片が、紙製の蓋付き包装容器本体を構成する辺の一部又は全部であっても構わない。
【００２６】
また、上記の神社境内の構成図のなかに、更に鈴、ご神体、神主、巫女、参拝客、灯篭、階段、キャラクター等を追加し、いずれか１種の図形面を折り曲げ片にしても構わない。
【実施例２】
【００２７】
一方、蓋を開き、蓋の裏面と紙製の包装容器の本体内面とを利用した内装のデザインを、銀行内にした場合、図４のようになる。
【００２８】
そして、この場合、銀行の標章、客、行員、キャラクター、カウンター内の風景を内面に施し、銀行などで景品のパッケージに使用して配ることで、中身である景品を取り出した後も、宣伝広告としての利用価値を生むことが出来る。
【００２９】
また、災害時はＡＴＭが使用できないことも多く、本考案の紙製の蓋付き包装容器に多少の貯金をしておけば、当座をしのげると共に、災害時のマニュアルや、連絡方法、必要な物資などを記載しているので、慌てることなく行動をとることが出来る。
【００３０】
例えば、図６に記載しておくのは、防災グッズ一覧表１５として、「水、懐中電灯、食糧、現金、救急箱、衣類、ラジオ、衣料品」とし、防災グッズ一覧表１５をイラストや写真で示した防災グッズ１８とする。
【００３１】
また、災害八か条１６として、「１、まずは、身の安全を  ２、すばやく火の始末  ３、戸を開けて出口を確保  ４、足元に注意して非難  ５、急に外に飛び出さない  ６、荷物は最小限に  ７、みんなで応急処置  ８、ラジオで情報を聞く」等を記載する。
【００３２】
そして、災害ダイヤル１７として、「１７１  携帯、固定電話からおかけ下さい  録音１  再生２」等を記載する。
【００３３】
更に、図説しないが、本考案の紙製の蓋付き包装容器を自分の夢を叶える為の貯金箱として利用しても良く、この場合、表紙に「目標○○万円」、「絶対○○になる」等と書き込める欄を設けておけば、自分に対する募金の名目となる。
【００３４】
以上説明したように、好ましい実施例を挙げて本考案を説明したが、本考案はその実施例に限定されるものではなく、本考案の要旨の範囲内で種々に改変できる。
【図面の簡単な説明】
【００３５】
【図１】本考案の外装図の一例図である。
【図２】本考案の外装図の一例図である。
【図３】本考案の内装図の一例図である。
【図４】本考案の内装図の一例図である。
【図５】本考案の折り曲げ片を有する面の構造図である。
【図６】本考案の裏面に施される箇条書きの一例図である。
【図７】本考案の外装の展開図の一例である。
【図８】本考案の外装の展開図の一例である。
【図９】本考案の本棚に他の本と一緒に収納する様子を示した図である。
【符号の説明】
【００３６】
１  紙製の蓋付き包装容器
２  包装容器本体
３  蓋
４  折り曲げ片
５  外装
６  本の表表紙
７  本の裏表紙
８  本の背表紙
９  内装
１０  しめ縄と札
１１  賽銭箱
１２  紙幣
１３  切れ目
１４  支辺
１５  防災グッズ一覧表
１６  災害８か条
１７  災害ダイヤル
１８  防災グッズ図
【図１】
0003164177.tif 000003
【図２】
0003164177.tif 000004
【図３】
0003164177.tif 000005
【図４】
0003164177.tif 000006
【図５】
0003164177.tif 000007
【図６】
0003164177.tif 000008
【図７】
0003164177.tif 000009
【図８】
0003164177.tif 000010
【図９】
0003164177.tif 000011